(57)【特許請求の範囲】
【請求項１】
始動入賞口と、
電動開閉始動入賞口と、
前記始動入賞口または前記電動開閉始動入賞口に遊技球が入賞すると図柄が変動する図柄変動表示器と、を備え、
前記図柄変動表示器に特定の図柄が停止すると遊技者に有利な特別遊技状態が発生するパチンコ遊技機であって、
特別遊技状態が終了した後に、前記始動入賞口または電動開閉始動入賞口に遊技球が入賞する度に前記図柄変動表示器の図柄が所定時間変動していずれかの図柄を表示する通常モードまたは該通常モードよりも前記電動開閉始動入賞口に遊技球が入賞し易い時短モードに移行し、
特別遊技状態における最終ラウンド終了後に前記図柄変動表示器に一定時間のエンディング表示を行い、前記エンディング表示の終了後に前記図柄変動表示器の図柄が変動を開始し、
前記時短モードのときに特別遊技状態が発生し、その後通常モードに移行する場合には、エンディング表示として時短モードの終了を示す表示を行なう一方、
前記通常モードのときに特別遊技状態が発生し、その後、通常モードに移行する場合には、エンディング表示として前記図柄変動表示器の画面に前記通常モード中に表示される表示を行なうようにしたことを特徴とするパチンコ遊技機。
【発明の詳細な説明】
【技術分野】
【０００１】
本発明は、遊技盤面の特定の入賞口に遊技球が入賞して特定の条件を満たしたときに、遊技者に有利な特別遊技状態を発生させるようにしたパチンコ遊技機に関するものである。
【背景技術】
【０００２】
この種のパチンコ遊技機として、例えば、遊技盤面の中央に数字、記号等の図柄を表示する表示部が設けられた図柄変動表示器を装着し、その下方の遊技盤面に遊技球が入賞することにより前記表示部に表示された図柄を変動させる始動入賞口と、一度に多くの入賞球を発生させる大入賞口とを装着したものが知られている（例えば、特許文献１参照。）。
【０００３】
前記パチンコ遊技機にあっては、始動入賞口への遊技球の入賞を契機として前記表示部の図柄が変動を開始し、同時に遊技者にとって有利な特別遊技状態、いわゆる「大当り」の抽選が行なわれ、大当りに当選したときはそれに相応しい図柄が表示部に表示されると共に大入賞口が開放し一度に多くの遊技球が入賞して多量の賞球が獲得できるようになっている。通常、電動開閉始動入賞口を遊技盤面に装着し、遊技盤面に設けられた通過ゲートを遊技球が通過すると、電動開閉始動入賞口の抽選が行なわれると共に、その当たり時には電動開閉始動入賞口が所定時間だけ開放され、その間、遊技球が入賞し易くなるようにしている。また、遊技モードとしていわゆる時短モードを有する場合が有り、この場合、該時短モード時間内では電動開閉始動入賞口の開閉機会が増え、特別遊技状態になる確率が向上するようになっている。
【０００４】
そこで、例えば、通常モードまたは時短モードの時間内に特別遊技状態が発生し、その状態が終了すると、続いてエンディング表示が行なわれ、そのエンディング表示の終了後に、通常モードまたは時短モードに移行する。時短モードに移行したときは、次の特別遊技状態の当選があるまで、又は所定の遊技回数分だけその時短モードが継続される。
【０００５】
【特許文献１】特開２００１−２１８９３５号公報（第３−７頁、図１乃至２）
【発明の開示】
【発明が解決しようとする課題】
【０００６】
一般に、通常モードでの特別遊技状態の終了後に時短モード、時短モードでの特別遊技状態の終了後に時短モード及び時短モードでの特別遊技状態の終了後に通常モードへそれぞれ移行するときは、エンディング表示が時短モードの開始や継続、終了に即した表示とされる。一方、通常モードでの特別遊技状態の終了後にそのまま通常モードへ移行するときは、両者の状態が共に通常と変わらないことから、時短モードの開始や継続、終了に即した表示をするということが難しく、また、遊技者にとっても空白の時間待たされることになり、早く次の通常モードが開始されることを期待している。
【０００７】
そこで、本発明は上記課題に鑑みてなされたもので、特に、通常モードでの特別遊技状態の終了後にそのまま通常モードへ移行するときは、エンディング表示として図柄変動表示器の画面に通常モード中に表示される表示を行なうことにより、その間の表示の選定に苦労する必要がなくなり、しかも、遊技者に恰も次のゲームが始まったという錯覚を与えて遊技者の期待に応えるようにし、これにより遊技の興趣が醒めないようにしたパチンコ遊技機を提供することを目的とするものである。
【課題を解決するための手段】
【０００８】
本発明に係るパチンコ遊技機は、始動入賞口と、電動開閉始動入賞口と、前記始動入賞口または前記電動開閉始動入賞口に遊技球が入賞すると図柄が変動する図柄変動表示器と、を備え、前記図柄変動表示器に特定の図柄が停止すると遊技者に有利な特別遊技状態が発生するパチンコ遊技機であって、特別遊技状態が終了した後に、前記始動入賞口または電動開閉始動入賞口に遊技球が入賞する度に前記図柄変動表示器の図柄が所定時間変動していずれかの図柄を表示する通常モードまたは該通常モードよりも前記電動開閉始動入賞口に遊技球が入賞し易い時短モードに移行し、特別遊技状態における最終ラウンド終了後に前記図柄変動表示器に一定時間のエンディング表示を行い、前記エンディング表示の終了後に前記図柄変動表示器の図柄が変動を開始し、前記時短モードのときに特別遊技状態が発生し、その後通常モードに移行する場合には、エンディング表示として時短モードの終了を示す表示を行なう一方、前記通常モードのときに特別遊技状態が発生し、その後、通常モードに移行する場合には、エンディング表示として前記図柄変動表示器の画面に前記通常モード中に表示される表示を行なうようにしたことを特徴とする。
【発明の効果】
【０００９】
本発明に係るパチンコ遊技機は、特に、通常モード時間内に特別遊技状態が終了し、そのまま次の通常モードに移行するとき、図柄変動表示器に表示されるエンディング表示として前記図柄変動表示器の画面に通常モード中に表示される表示を行なうようにしたので、その間の表示の選択に苦労する必要がなくなる。しかも、遊技者に恰も次のゲームが始まったという錯覚を与えて、早く遊技が開始してほしいという期待に応えることができ遊技の興趣が醒めることがなく、これにより遊技のサービスの一環に資するという効果がある。
【発明を実施するための最良の形態】
【００１０】
次に、本発明に係るパチンコ遊技機の実施の形態を図面に基づき説明する。通常、パチンコ遊技機には、図柄変動表示器、始動入賞口及び大入賞口を備え、始動入賞口に遊技球が入賞することにより変動する図柄変動表示器の図柄が特別な図柄になったときに遊技者にとって有利な特別遊技状態となる第一種と、可動羽根を有する球入口、該球入口に受けられた遊技球が入賞する特別入賞口及び普通入賞口を有するセンター役物及び始動入賞口を備え、前記特別入賞口に遊技球が入賞したとき特別遊技状態となる第二種、または、図柄変動表示器及び特別入賞口を備え、いずれによっても特別遊技状態になる第一種と第二種とを混合したものがある。本発明は前記いずれのパチンコ遊技機についても適用可能であるが、本発明にあっては第一種と第二種とを混合したパチンコ遊技機について説明する。なお、第二種については、センター役物に特別遊技状態を決める特別な図柄ではなく遊技の雰囲気を盛り上げるためなどの図柄を表示する表示器が付設される。図１は、本発明に係るパチンコ遊技機の遊技盤の正面図を示す。該遊技盤１は、打球発射装置（図示せず）から発射された遊技球を誘導するため前面に環状の外レール２と内レール３が設けられ、その内側の遊技領域の中央に本発明に係るセンター役物４が配設される。５ａ，５ｂは遊技球が流下する遊技盤１の左側領域上部と右側領域上部に夫々設けられた普通入賞口、６ａ，６ｂはその下方に夫々設けられた普通入賞口である。７ａ，７ｂは遊技盤１の左側領域下部と右側領域下部に夫々設けられた始動入賞口、８はセンター役物４の直下方に設けられ一対の翼片９，９が開閉動するように構成された所謂チューリップ型の電動開閉始動入賞口である。該電動開閉始動入賞口８は、その上方に遊技球が通過することにより電気的に検出される通過ゲート８ａが一体に設けられている。なお、１０は遊技領域の下端部に設けられたアウト球排出口、１１ａ，１１ｂは内レール３の内側縁に設けられたランプ付き装飾体である。
【００１１】
センター役物４は、図２、図３に拡大して示すように、遊技盤１面に取着される取付基板１２前面の中央上部に紋型装飾体１３が形成され、該紋型装飾体１３の両側に球入口１４ａ，１４ｂが形成される。該球入口１４ａ，１４ｂに、可動羽根１５ａ，１５ｂが回動自在に軸支される。該可動羽根１５ａ，１５ｂは、図４（イ）（ロ）に示すように、支軸１６ａ，１６ｂの先端に固設され、該支軸１６ａ，１６ｂの後端部にクランク１７ａ，１７ｂが固設されている。１８ａ，１８ｂは該センター役物４の内部に鉛直に固設された電動アクチュエータ（ソレノイド）、１９ａ，１９ｂは該電動アクチュエータ１８ａ，１８ｂのプランジャに固着された作動片である。２０ａ，２０ｂは、その軸受部２１ａ，２１ｂを軸支することにより傾動自在に支持された傾動片である。該傾動片２０ａ，２０ｂに突設されたピン２２ａ，２２ｂを該作動片１９ａ，１９ｂに形成された横長孔２３ａ，２３ｂに遊嵌すると共に、クランク１７ａ，１７ｂの先端に突設されたピン２４ａ，２４ｂを該傾動片２０ａ，２０ｂに形成された長孔２５ａ，２５ｂに遊嵌する。
【００１２】
前記電動アクチュエータ１８ａ，１８ｂが励磁され作動片１９ａ，１９ｂが上動すると、傾動片２０ａ，２０ｂが上傾し、図４（ロ）に示すように支軸１６ａ，１６ｂを矢視方向へ回転させ、可動羽根１５ａ，１５ｂが図４（イ）の起立状から外傾状に変動する。これに伴い図２鎖線に示すように球入口１４ａ，１４ｂが開成され、遊技球が該球入口１４ａ，１４ｂからセンター役物４内に流入し得るようになる。２６は、センター役物４内であって球入口１４ａ，１４ｂの内側に山形に形成された球遊動通路である。２７ａ，２７ｂは該球入口１４ａ，１４ｂからセンター役物４内に流入した遊技球を検出するために該球遊動通路２６の両端部に設けられた球検出スイッチで、遊技球は該球検出スイッチ２７ａ，２７ｂの環状孔からその下段に形成された凹面状通路２８に落下する。
【００１３】
また、図２に示すように、凹面状通路２８の後側壁中央部に遊技球が横に３個並んで通過できる程度の幅を有する窓孔２９が形成され、該窓孔２９の後側に球停留装置３０が設けられる。図５（イ）（ロ）に示すように、該球停留装置３０は、上端部で軸着され前後に自在に揺動する振分部材３１と、センター役物４の内部中央に鉛直に固設された電動アクチュエータ（ソレノイド）３２と、該電動アクチュエータ３２のプランジャに固着され振分部材３１と連係する規制部材３３と、からなる。振分部材３１は、下端に後記する球落口３８の上面を開閉する蓋片３１ａが設けられ、軸支部から後方へ突出する腕片３４の先端にピン３４ａが設けられる。一方、規制部材３３は、その上端に前方へ突出する可動片３５が設けられ、該可動片３５先端の二股部３６に前記腕片３４のピン３４ａが係合している。また、規制部材３３の下端は、前方へ屈曲して球止片３７が設けられる。該球止片３７の前端部は、球落口３８の下方に位置する。そして、規制部材３３が上昇したとき、球止片３７が球落口３８の真下に位置してその下面を閉じ、該球止片３７に入った遊技球を下から支持するようにしている。また、この状態で、規制部材３３が下降すると、球落口３８の下面が開かれ前記遊技球は支持を失い落下することになる。
【００１４】
前記球停留装置３０における振分部材３１の下方には、該振分部材３１の揺動動作により遊技球を受け入れられるように開閉する球落口３８が設けられ、該球落口３８に球検出スイッチ３９（図５では省略。）の環状孔が合致している。球落口３８は、左右両サイドへ伸びるワープ通路４０ａ，４０ｂの分岐点に当たる底壁に開設される。これらワープ通路４０ａ，４０ｂは両側で下方へ屈曲し、その下端に後記する傾斜棚５２の両側上面に位置する球出口４１ａ，４１ｂが設けられる。これらワープ通路４０ａ，４０ｂにより囲まれる部位は、その後側に位置する図柄変動表示器４８を遊技者が前側から視認可能なように、遊技球の直径寸法よりも少し広い幅を離して平行な前後一対の透明樹脂板が張設された透光領域４２としている。
【００１５】
前記透光領域４２の透明樹脂板間に、球落口３８の下方に位置して該球落口３８から落下する遊技球を下方へ導く中央縦通路４３が形成される。該中央縦通路４３には、その途中に通路の内側へ突出し落下する遊技球を一時的に受け止める第一球受片４４ａとその下方に位置する第二球受片４４ｂとが設けられる。これら第一・第二球受片４４ａ，４４ｂは、互いに位置を違えて設けられかつそれら上面が中央縦通路４３の中央寄りへ下傾し、その上面に遊技球が乗っても停止できずに落下するようになっている。更に、第二球受片４４ｂの下方に上面が弧状に窪み、遊技球を排出する下端放出口４３ａが球転動通路４５の長手方向に沿っていずれか側方、この場合は図２において右側、を向いた第三球受片４４ｃが設けられる。
【００１６】
そして、両透明樹脂板間の下部に、中央縦通路４３の下端から落下する遊技球を受け入れる球転動通路４５が設けられる。該球転動通路４５は、底壁上面が前記中央縦通路４３の真下位置である中央部で一番低くなっており、その両側が中央部に向かって緩やかに下傾している。また、中央縦通路４３の中央部の後側壁に、遊技球を傾斜棚５２の左右幅方向のほぼ中央部に落下させる球送り口４６が開設される。
【００１７】
前記球停留装置３０の電動アクチュエータ３２が消磁しているときは、図５（イ）に示すようにそのプランジャが下方へ突出して規制部材３３が下降位置に停止し、振分部材３１が前方へ揺動して突出し球落口３８の上面を塞いでいる。よって、この状態で凹面状通路２８から窓孔２９を介して導かれた遊技球は、振分部材３１により左右いずれかに振り分けられ、ワープ通路４０ａ，４０ｂ内を流れると共にその下端の球出口４１ａ，４１ｂから排出されて傾斜棚５２の上面に落下する。また、この状態では、該規制部材３３下端の球止片３７が中央縦通路４３の後側壁に開設された縦溝４７を介してその中央縦通路４３内に介入し、第一球受片４４ａの近傍に達しており、その第一球受片４４ａ上面に乗る遊技球を支えてそれより下方へ落下させないようにしている。
【００１８】
これに対し、電動アクチュエータ３２が励磁すると、図５（ロ）に示すようにそのプランジャが上方へ収縮して規制部材３３が上昇位置に停止し、同時に振分部材３１が後方へ揺動して球落口３８の上面を遊技球が入り得るように開放する。よって、この状態で凹面状通路２８から窓孔２９を介して後方へ導かれた遊技球は、球落口３８に入り易い。該球落口３８に入った遊技球は、その下面を規制部材３３下端の球止片３７により支持され、電動アクチュエータ３２が消磁して規制部材３３が下がらない限り中央縦通路４３に落下しないようになっている。また、その後に窓孔２９から入る遊技球は、球落口３８に保留される遊技球によって振り分けられ、ワープ通路４０ａ，４０ｂのいずれかに流入する。
【００１９】
この状態で、電動アクチュエータ３２が消磁すると、規制部材３３が下降し該規制部材３３によって球落口３８に保留されていた遊技球が第一球受片４４ａの上面に落下する。また、同時に振分部材３１が前方へ突出して球落口３８の上面を塞ぐ。このとき、前記遊技球は、規制部材３３に支持され第一球受片４４ａの上面に保持される。そして、電動アクチュエータ３２が再び励磁すると、規制部材３３が上昇すると共に振分部材３１が後退して球落口３８の上面を開放する。同時に、第一球受片４４ａの上面に乗っていた遊技球が規制部材３３から開放され、第二球受片４４ｂの上面に一時的に乗りつつ更にその下方の第三球受片４４ｃ上面に乗り、図６（イ）に示すようにその下端放出口４３ａから球転動通路４５の底壁上面に落下する。
【００２０】
第三球受片４４ｃの下端放出口４３ａは図２のように球転動通路４５を正面から見て右側を向いているので、そこから排出される遊技球は勢いがつき易い。そこで、該球転動通路４５の底壁上面が中央部に向かって緩やかに下傾していることから、前記遊技球は図６（イ）鎖線に示すようにその中央部を中心として左右両サイドへ減衰しながら往復運動する。そして、該遊技球は最終的に中央部に寄り、球送り口４６を介して傾斜棚５２上面の中央に落下する。球送り口４６の中央縦通路４３に沿った両側縁部は、その前面が図６（ロ）に示すように前方へ突出し、両突出部から始まる両側前面が、それぞれ球転動通路４５に沿って外側へ向かうに従い漸次後方へ傾くテーパー面４５ａに形成されている。
【００２１】
これにより、球転動通路４５を球送り口４６を中心として左右に往復運動する遊技球は、球送り口４６に近づくにつれテーパー面４５ａに接触して球送り口４６から離されるように誘導される。よって、例えば、該遊技球が球送り口４６の両内側縁に当たって停止し、そこで往復運動の止まってしまうことがなくなり、遊技者はその遊技球の動きを長く楽しむことができる。
【００２２】
センター役物４内の球転動通路４５の下方に、取付基板１２に開設された窓開口４９と連通するようにして前側から内部が視認できる遊技室５０が形成されている。図７に示すように該遊技室５０には、その後側正面壁５０ａの中央に装飾体としての人形５１が突出状に設けられる。また、遊技室５０内の中間高さ位置に、横断状に配置され後方へ向けて緩やかに下傾する傾斜棚５２が設けられる。該傾斜棚５２の後端縁は、遊技球が落下し得る間隔５３を離して人形５１と相対している。該遊技室５０の床面５４は緩やかな前傾状に形成され、その前端縁中央に特別入賞口５５が設けられ、該特別入賞口５５の両側にそれぞれやや広めの普通入賞口５６，５６が形成される。該特別入賞口５５には、球検出スイッチ５７が配設される。普通入賞口５６，５６にあっては、その下流側に図示しない球検出スイッチが配設される。
【００２３】
図８に示すように前記人形５１の腹部に、繰り返し前方に進出可能に設けられたポケット形の進退動型電動部材５８が装着される。該進退動型電動部材５８は、水平に配置されると共に前端に上面が開口したポケット部５８ａが設けられる。後側正面壁５０ａの後側に、進退動型電動部材５８に連結され該進退動型電動部材５８を動作させるための電動アクチュエータ（ソレノイド）５９が水平に配置される。また、人形５１の後側に相当する後側正面壁５０ａの裏側に遊技球が通過し得る通路６０が形成され、該通路６０は人形５１の股下部に開設された放出口６１に連通している。６２は床面５４の下側に配置され、電動アクチュエータ（ソレノイド）６３の作動により枢支部６４を支点として鉛直面内で上下に傾動するように支持された停留レバーである。そして、その上・下方向への傾動により該停留レバー６２の先端６２ａが放出口６１と相対するように床面５４より出没し、放出口６１から放出する遊技球を該停留レバー６２により一時停留するようになっている。また、放出口６１の両側であって後側正面壁５０ａに、前記通路６０と連通するサブ放出口６５が開設される。
【００２４】
図２、図７に示すように、人形５１の両側で傾斜棚５２の両サイド奥部にそれぞれ半球殻状の回転型電動部材６６が設けられる。図９に示した回転型電動部材６６は、図２のようにセンター役物４を正面から見て右側に配置されるものであるが、左側に配置される回転型電動部材６６は右側に配置されるものと同じ構成からなるので図示は省略する。該回転型電動部材６６はその球面が前方を向き回転軸６７により支持され、該回転軸６７の後端に減速機付モータ６８が連繋される。回転型電動部材６６には、その前面に等間隔に遊技球が通過できる透孔６９が形成される。また、回転軸６７に該回転軸６７に対して直角となるように回転円板８１が固着され、該回転円板８１の外周縁部に回転軸６７を中心とする放射線状にかつ等間隔に複数のスリット８２が設けられる。回転円板８１の一側に、該回転円板８１の外周縁部を前側と後側から挟むようにして投光器と受光器とを備えた検出器８３が配設される。
【００２５】
回転型電動部材６６は、減速機付モータ６８の駆動により図９矢印の方向、すなわちセンター役物４を正面から見て時計回り方向へ常時回転している。回転中の回転型電動部材６６は、前記スリット８２を検出器８３で検出することにより停止できるが、常に同じ位置で停止させている。このように、回転型電動部材６６を常に同じ位置で停止させるのは、センター役物４内に入った遊技球の特別入賞口５５へ入賞する入賞確率にばらつきがないようにしてその均一化を図るためである。一方、前記左側に配置された回転型電動部材６６は、図２のようにセンター役物４を正面から見て反時計回り方向へ回転している。そして、傾斜棚５２上面に落下した遊技球は、前記間隔５３から床面５４に落下するほか、該回転型電動部材６６の透孔６９から一旦その内側に入り、また、いずれかの透孔６９からその下方の曲面棚７０を介して床面５４に落下する。
【００２６】
更に、前記遊技室５０の後側正面壁５０ａに、人形５１の両側に位置して押出し部材７１が配置される。これら押出し部材７１は共に同じ構成からなるので、図１０（イ）（ロ）に図２のようなセンター役物４を正面から見て左側に位置するもののみを示す。押出し部材７１は、両端部に支持孔７２を貫設した摺動枠７３の前面に支軸７４を突設し、該支軸７４の先端、すなわち前端、に人の手に模した当て片７５を固着して構成される。一方、遊技室５０の後側正面壁５０ａに支持枠７６が固着される。該支持枠７６には、後側正面壁５０ａの前後方向へ水平に貫設された軸孔７７が設けられる。また、支持枠７６の両側後面に、軸孔７７の中心軸と平行をなしかつ圧縮スプリング７８を巻装した支杆７９が後方へ突設される。そして、前記軸孔７７に支軸７４を挿通し、両支持孔７２に両支杆７９を挿通する。また、摺動枠７３の後側に、該摺動枠７３を圧縮スプリング７８の付勢に抗して前方へ押動する電動アクチュエータ（ソレノイド）８０が水平に配設されている。
【００２７】
そこで、電動アクチュエータ８０が消磁しているときは、図１０（イ）に示すように圧縮スプリング７８の付勢により摺動枠７３が後退し、支軸７４前端の当て片７５が後側正面壁５０ａの前面に寄っている。これに対し、電動アクチュエータ８０が励磁すると、図１０（ロ）に示すようにプランジャが前進して圧縮スプリング７８の付勢に抗して摺動枠７３を前方へ押す。これにより、当て片７５が前方へ突出して、傾斜棚５２の後端縁に接近する。その後端縁と当て片７５との隙間は、遊技球が通過し得ない寸法になっており、傾斜棚５２の上面を後方へ転動して突出動作する当て片７５に当る遊技球は、傾斜棚５２の上面を前側へ押し返されることになる。前記両当て片７５の前面は、真正面を向くというよりも少し中央の人形５１側を向くように設定されている。よって、該当て片７５に押し返された遊技球は、パチンコ遊技機の前面を覆う透明板保持枠（図示せず。）のガラス板（センター役物４の窓開口４９に該窓開口４９を塞ぐ前面透明壁がある場合は、該前面透明壁）に当たってポケット部５８ａに向かって流下し易いようになる。
【００２８】
本発明に係るパチンコ遊技機は上記構成からなり、例えば遊技盤１面に打ち込まれた遊技球が始動入賞口７ａ，７ｂや電動開閉始動入賞口８に入賞すると、電気的に検出されて図柄変動表示器４８に表示される数字、文字、図形といった図柄が変動を開始する。遊技者は、その図柄を透光領域４２を介して見ることができる。電動開閉始動入賞口８にあっては、その上部の通過ゲート８ａを遊技球が通過すると抽選が行なわれ、その抽選に当たると電動開閉始動入賞口８が１回開閉する。その間に、該電動開閉始動入賞口８に遊技球が入賞すると、前記図柄が変動を開始する。
【００２９】
そして、前記変動した図柄は、特定の図柄（例えば、「１１１」、「２２２」、「７７７」）で停止する。そこで、特定の図柄が「１１１」で停止した場合は、可動羽根１５ａ，１５ｂが１回開閉動作を行なう。また、特定の図柄が「２２２」で停止した場合は、可動羽根１５ａ，１５ｂが２回開閉動作を行なう。一方、特定の図柄が「７７７」に揃った場合は、遊技者に有利な特別遊技状態、いわゆる「大当り」となり、可動羽根１５ａ，１５ｂが１ラウンドにつき所定回数開閉を繰り返し、その後にそのラウンドが所定回数継続され、一度に多くの賞球が得られる。すなわち、遊技球が始動入賞口７ａ，７ｂや電動開閉始動入賞口８に入賞することが契機となって、特別遊技状態が発生する。
【００３０】
前記可動羽根１５ａ，１５ｂが１回または２回開いたときに、球入口１４ａ，１４ｂに遊技球が入賞すると、該遊技球は球検出スイッチ２７ａ，２７ｂを通過して検出される。これにより、可動羽根１５ａ，１５ｂを作動させる電動アクチュエータ１８ａ，１８ｂを除いて、他の電動アクチュエータ３２，５９，６３，８０が駆動し、振分部材３１と規制部材３３、進退動型電動部材５８、停留レバー６２、押出し部材７１が設定された時間に従って適宜回数作動する。また、押出し部材７１は、センター役物４に遊技球が入賞してから排出されるまでの間に、左右同時に複数回前方へ突出動作を繰り返す。
【００３１】
前記球入口１４ａ，１４ｂの球検出スイッチ２７ａ，２７ｂを通過して検出された遊技球は、凹面状通路２８内に入る。次に、この遊技球は、窓孔２９から後方へ流下するが、電動アクチュエータ３２が消磁して振分部材３１により球落口３８の上面が塞がれているとき、蓋片３１ａにより振り分けられていずれかのワープ通路４０ａ，４０ｂに流入し、その流下端の球出口４１ａ，４１ｂから傾斜棚５２上面に落下する。一方、電動アクチュエータ３２が励磁して振分部材３１を後方へ揺動して球落口３８の上面が開放されたとき、窓孔２９から入った遊技球がタイミング良く球落口３８に入ると、該遊技球は、電動アクチュエータ３２が励磁している間、一時的に保留される。よって、後続の遊技球は必然的に球落口３８には入賞せず、いずれかのワープ通路４０ａ，４０ｂに流入する。
【００３２】
そして、前記電動アクチュエータ３２が消磁すると、規制部材３３が下降し前記球落口３８に保留されていた遊技球は支持を失って中央縦通路４３に落下し、規制部材３３に支持された状態で第一球受片４４ａ上面に保持される。更に、電動アクチュエータ３２が励磁すると、規制部材３３が上昇し第一球受片４４ａ上面の遊技球が支持を失って落下し、第二・第三球受片４４ｂ，４４ｃを経て球転動通路４５上面に落下する。該球転動通路４５上面では、遊技球がその球転動通路４５に沿って中央部を中心として左右に減衰しながら往復動する。最終的に減衰した遊技球は、球送り口４６から傾斜棚５２上面に落下する。
【００３３】
傾斜棚５２上面を後方へ転動する遊技球は、間隔５３から人形５１の前に落下したり、該傾斜棚５２上面にて両サイドに位置し回転中の回転型電動部材６６に接触して弾かれたり、或はその透孔６９内に入りそのままいずれかの透孔６９から曲面棚７０に落下して、床面５４上に放出される。そして、該遊技球は、前方へ転動して普通入賞口５６または特別入賞口５５に入賞する。この内、遊技球が間隔５３から落下するとき、図８の鎖線に示すように電動アクチュエータ５９が励磁して進退動型電動部材５８が進出して開いたポケット部５８ａに入ると、該遊技球は通路６０を流下して人形５１の股下部の放出口６１に導かれる。このとき、同図鎖線に示すように電動アクチュエータ６３が励磁して停留レバー６２の上端が床面５４から上方へ突出しているときは、放出口６１にある遊技球はそのまま保持される。ところが、電動アクチュエータ６３が消磁して停留レバー６２の上端が床面５４から下方に位置すると、前記遊技球はまっすぐ流下して特別入賞口５５に容易に入賞する。この場合も特別遊技状態となり、可動羽根１５ａ，１５ｂが１ラウンドにつき所定回数開閉を繰り返し、その後にそのラウンドが所定回数継続され、一度に多くの賞球が得られることになる。
【００３４】
また、電動アクチュエータ６３が励磁して放出口６１で停留レバー６２により遊技球が保持されているとき、通路６０を介してその上に重なって入る遊技球は、サブ放出口６５から床面５４に排出され、ほとんど普通入賞口５６に入賞する。
【００３５】
そこで、ゲームの途中であって、傾斜棚５２の上面を後方へ転動するも人形５１の位置する該傾斜棚５２の中央部に寄らない遊技球は、傾斜棚５２の後端縁から落下するとき押出し部材７１が前方へ突出すると、図１１の鎖線に示すように当て片７５に当てられ傾斜棚５２の上面を前側へ押し返される。このようにして、その遊技球は、当て片７５により押し返される限り、傾斜棚５２上面を前後に往復動して傾斜棚５２上面に留まる時間が長くなる。よって、進退動型電動部材５８すなわち特別入賞口５５に該遊技球が入る機会が多くなり、しかも、特別入賞口５５に入賞するか否かのスリルや期待感に持続性を持たせることができ、これにより遊技の興趣が高められる。
【００３６】
本発明に係るパチンコ遊技機では、図１２に示すように前記図柄変動表示器４８、電動アクチュエータ１８ａ，１８ｂ，３２，５９，６３，８０及び減速機付モータ６８が、ＣＰＵ，ＲＯＭ，ＲＡＭ，Ｉ／Ｏ等からなるマイクロコンピュータ８４に接続され、該マイクロコンピュータ８４の指令により作動する。また、該マイクロコンピュータ８４には、前記始動入賞口７ａ，７ｂ、電動開閉始動入賞口８に入賞した遊技球を検出する球検出スイッチ８５ａ，８５ｂ，８６がそれぞれ接続されているほか、前記球検出スイッチ２７ａ，２７ｂ、球検出スイッチ３９、球検出スイッチ５７がそれぞれ接続される。
【００３７】
次に、本発明に係るパチンコ遊技機のゲームの流れを、図柄変動表示器４８に表示される図柄を中心として説明する。遊技球が始動入賞口７ａ，７ｂまたは電動開閉始動入賞口８に入賞して球検出スイッチ８５ａ，８５ｂ，８６により検出されることにより、図柄変動表示器４８の図柄が変動を開始し、所定時間経過後に停止する。そして、その停止したときの図柄が、「７７７」に揃ったり、図柄が「１１１」「２２２」に揃って可動羽根１５ａ，１５ｂが傾動した球入口１４ａ，１４ｂに遊技球が受け入れられると共に該遊技球が特別入賞口５５に入賞することにより特別遊技状態になる。
【００３８】
通常、図柄変動表示器４８の表示には、始動入賞口７ａ，７ｂまたは電動開閉始動入賞口８に遊技球が入賞する度に図柄変動表示器４８の図柄が所定時間変動していずれかの図柄を表示する通常モードと、所定回数を限度として翼片９が傾倒し電動開閉始動入賞口８に遊技球が入賞し易く特別遊技状態になる確率が向上する時短モードとがある。特別遊技状態は、前記通常モードまたは時短モードのいずれにも発生し得るもので、特別遊技状態が終了した後は、再び通常モードに移行するか時短モードに移行する。そして、特別遊技状態が終了した後であって通常モードまたは時短モードが開始される前に図柄変動表示器４８にエンディング表示が表示される。このエンディング表示の表示時間はどのモードであっても一定である。
【００３９】
更に、図１３（イ）（ロ）（ハ）（ニ）に基づき詳しく説明する。図１３（イ）は、通常モード時間内に特別遊技状態が発生し、その最終ラウンド終了後にエンディング表示が行なわれ、その後、通常モードに移行する場合である。この場合、エンディング表示では、終わりの表示Ｅ，２個のアニメーションの表示Ｎ１，Ｎ２、そして、通常モード中に表示される表示Ｔを行なうようにしている。このように、通常モードでの特別遊技状態の終了後にそのまま通常モードへ移行するときは、両者が通常と変わらない同じ状態となる。よって、時短モードの開始や継続、終了に即した表示をすることが難しいところ、エンディングに掛かる時間はそのまま保持して図柄変動表示器４８の画面だけ通常モード中に表示される表示Ｔとする。これにより、その表示の選定に苦労する必要がなくなる。また、遊技者に恰も次のゲームが始まったという錯覚を与えることができ、早く次の通常モードを開始してほしいという期待に応えられる。これにより、遊技の興趣が醒めないようにすることができる。
【００４０】
図１３（ロ）は、通常モード時間内に特別遊技状態が発生し、その最終ラウンド終了後にエンディング表示が行なわれ、その後、時短モードに移行する場合である。この場合、エンディング表示では、次に始まる時短モードへの予告と準備のため、その予告の表示Ｙ、その時短に突入するのに相応しい突入の絵と文字の表示Ｄ１，Ｄ２等の時短モードの開始や継続、終了に即した表示が表示される。これにより、遊技者にこれから時短モードが開始されるという予告を伝えることができ、遊技者に心の準備をさせられ安心感も与えられる。
【００４１】
図１３（ハ）は、時短モード時間内に特別遊技状態が発生し、その最終ラウンド終了後にエンディング表示が行なわれ、再び、時短モードに移行する場合である。この場合、エンディング表示では、次に始まる時短モードへの予告と準備のため、予告の表示Ｙ、継続の表示Ｃ、次の時短モードの場所の表示Ｐ１等の時短モードの開始や継続、終了に即した表示が表示される。
【００４２】
図１３（ニ）は、時短モード時間内に特別遊技状態が発生し、その最終ラウンド終了後にエンディング表示が行なわれ、次に、通常モードに移行する場合である。この場合、エンディング表示では、時短モードから通常モードへ移行するので、遊技者にとっては落胆の感が強くその慰めの意を込めるため、終わりの表示Ｅ、３個のアニメーションの表示Ｎ１，Ｎ２，Ｎ３、次の通常モードの場所の表示Ｐ２等の時短モードの開始や継続、終了に即した表示が表示される。
【００４３】
通常、特別遊技状態が終了するまでには図柄変動表示器４８の図柄を変動させるための保留球が所定量蓄積されるので、エンディング表示終了後の通常モードまたは時短モードは、その保留球により変動が開始されることによって始まる。
【図面の簡単な説明】
【００４４】
【図１】本発明に係るパチンコ遊技機の遊技盤の正面図。
【図２】センター役物の正面図。
【図３】同側面図。
【図４】（イ）は一対の可動羽根の斜視図、（ロ）は同作用図。
【図５】（イ）は球停留装置部位の斜視図、（ロ）は同作用図。
【図６】（イ）は球転動通路部位の斜視図、（ロ）は同平面断面図。
【図７】遊技室部位を一部断面にして示す斜視図。
【図８】遊技室の側面断面図。
【図９】回転型電動部材の斜視図。
【図１０】（イ）は押出し部材の斜視図、（ロ）は同作用図。
【図１１】同押出し部材の作用を示す側面断面図。
【図１２】本発明に係るパチンコ遊技機のブロック図。
【図１３】（イ）は通常モードから通常モードへ移行する場合のエンディング表示の説明図。（ロ）は通常モードから時短モードへ移行する場合のエンディング表示の説明図。（ハ）は時短モードから時短モードへ移行する場合のエンディング表示の説明図。（ニ）は時短モードから通常モードへ移行する場合のエンディング表示の説明図。
【符号の説明】
【００４５】
７ａ      始動入賞口
７ｂ      始動入賞口
４８      図柄変動表示器
Ｔ        通常モード中に表示される表示
【図１】
0004848340.tif 000002
【図２】
0004848340.tif 000003
【図３】
0004848340.tif 000004
【図４】
0004848340.tif 000005
【図５】
0004848340.tif 000006
【図６】
0004848340.tif 000007
【図７】
0004848340.tif 000008
【図８】
0004848340.tif 000009
【図９】
0004848340.tif 000010
【図１０】
0004848340.tif 000011
【図１１】
0004848340.tif 000012
【図１２】
0004848340.tif 000013
【図１３】
0004848340.tif 000014